(57)【要約】      （修正有）【課題】ツリーのポールを直立支持すると共に電装部品などの装飾物を収納可能とするツリー用収納箱を提供する。【解決手段】ツリーの幹を模したポール２の下端部を支えてツリーを直立させる植木鉢状の収納箱であって、ポール２の下端部２ａを直立状態に嵌合可能な支持筒体７を底面５ａ上の中央部に設けた植木鉢状の外箱体５と、開口を上向き又は下向きに嵌合させて全体を外箱体５に収納可能とし、底面６ａの中央部にポール２及び支持筒体７を差し込み可能な径のポール支持孔８を設けた内箱体６と、から成る。外箱体に内箱体をその開口を上向きに嵌合させた場合にはツリー用の装飾物が収納可能で、開口を下向きに（底面を上向きに）嵌合させた場合には、ポールをポール支持孔８に差し込んでツリーを直立状態に保持可能とした。【選択図】図３
0003184811.tif 000002
【実用新案登録請求の範囲】
【請求項１】
ツリーの幹を模したポールの下端部を支えてツリーを直立させる植木鉢状の収納箱であって、
前記ポールの下端部を直立状態に嵌合可能な支持筒体を底面上の中央部に設けた植木鉢状の外箱体と、
開口を上向き又は下向きに嵌合させて全体を前記外箱体に収納可能とし、底面の中央部に前記ポール及び前記支持筒体を差し込み可能な径のポール支持孔を設けた内箱体と、
から成り、
前記外箱体及び内箱体を、前記外箱体に前記内箱体をその開口を上向きに嵌合させた場合には前記ツリー用装飾物が収納可能で、且つ前記外箱体に前記内箱体をその開口を下向きに嵌合させた場合には、前記ポールを前記ポール支持孔の差し込んで前記ツリーを直立状態に保持可能とする深さとしたことを特徴とするツリー用収納箱。
【請求項２】
外箱体の開口に、箱蓋を備えたことを特徴とする請求項１に記載のツリー用収納箱。
【請求項３】
内箱体が、外箱体の内部空間を上下２分する第１の内箱体と第２の内箱体とから成り、該両内箱体の底面の中央部に、前記ポール及び前記支持筒体を差し込み可能な径のポール支持孔をそれぞれ設けたことを特徴とする請求項１又は２に記載のツリー用収納箱。
【請求項４】
内箱体の底面又は第１の内箱体と第２の内箱体の底面に、内側の引き出し紐と外側の引き出し紐とをそれぞれ設けたことを特徴とする請求項１から４のうちいずれかに記載のツリー用収納箱。
【請求項５】
外箱体の底面と内箱体の底面又は第１の内箱体と第２の内箱体の底面に、電飾用電気コードが挿通可能な貫通孔を設けたことを特徴とする請求項１から４のうちいずれかに記載のツリー用収納箱。
【請求項６】
外箱体の底面に、移動用のキャスターを設けたことを特徴とする請求項１から５のうちいずれかに記載のツリー用収納箱。
【考案の詳細な説明】
【技術分野】
【０００１】
本考案は主としてクリスマスツリー等の装飾用のツリーを直立させると共に該ツリーを飾る装飾物を収納可能とするツリー用収納箱に関する。
【背景技術】
【０００２】
クリスマスシーズンになると、家庭では室内に樅に木のクリスマスツリーを立てて、その枝に飾り物を掛けてクリスマスの雰囲気を味わっているが、クリスマスツリーは背が高く、倒れ易いという欠点があるので、下記各特許文献に記載の如き各種工夫を凝らして直立状態を保持させている。
例えば、下記特許文献１には植木鉢状の容器を用いてツリーを立設する「クリスマスツリー兼門松」の提案がなされている。
又、下記特許文献２には樅の木模型の幹部分下部に放射状に設けた４本の脚部で樅の木模型を直立させる「クリスマスツリー兼用ディスプレイ装置」が提案されている。
又、下記特許文献３には箱形の台に円筒体を立て、その円筒体に樅の木の幹部分を嵌合させて直立させる「組立式のクリスマスツリー」の提案がなされている。
【先行技術文献】
【特許文献】
【０００３】
【特許文献１】実用新案登録第３０３８１４１号公報
【特許文献２】実用新案登録第３０６７３６０号公報
【特許文献３】実用新案登録第３００１０１０号公報
【考案の概要】
【考案が解決しようとする課題】
【０００４】
上記各特許文献のいずれの提案もクリスマスツリーを直立状態に保持することはできるが、クリスマスシーズンが終わった後のツリーやその装飾物などの保管についてまでのことは考慮されてはいない。
このため、使用後のツリーやその装飾物は物置などでそのまま保管することも可能ではあるが、大変嵩張るので置き場所が確保できずに捨てられてしまうこともある。
又、保管する場合には、デコレーションモ−ル等のツリー用装飾物は別に用意した箱などの容器に入れて置くにしても、イルミネーションの電気コードや紐状のデコレーションモ−ル等の装飾物が互いに絡まり合い、このため翌年のクリスマスシーズンに使用する際の組み立は大変面倒となる。
更に、上記特許文献２及び特許文献３の提案では、ツリーを立てるための幹下端部が貧弱で、全体が不安定に感じられる上、せっかくツリー上部には豪華な装飾を施しても下部の見映えの悪さから、クリスマスツリーの装飾品としての高級感が損なわれてしまっている。
【０００５】
そこで本考案者は上記実情に鑑み、クリスマスツリーの植木鉢部分に着眼し、植木鉢部分の内部の空間が有効に利用できないかと考えて工夫を重ね、その結果、本考案はツリーを直立状態に支持すると共にツリーを飾る多種多量の装飾物を収納保管でき、且つツリー全体に安定感と見映えが良くなるツリー用収納箱を提供しようとするものである。
【課題を解決するための手段】
【０００６】
上記課題を解決するために、本考案のツリー用収納箱における請求項１に記載の考案は、ツリーの幹を模したポールの下端部を支えてツリーを直立させる植木鉢状の収納箱であって、前記ポールの下端部を直立状態に嵌合可能な支持筒体を底面上の中央部に設けた植木鉢状の外箱体と、開口を上向き又は下向きに嵌合させて全体を前記外箱体に収納可能とし、底面の中央部に前記ポール及び前記支持筒体を差し込み可能な径のポール支持孔を設けた内箱体と、から成る。
そして、前記外箱体及び内箱体を、前記外箱体に前記内箱体をその開口を上向きに嵌合させた場合には前記ツリー用装飾物が収納可能で、且つ前記外箱体に前記内箱体をその開口を下向きに嵌合させた場合には、前記ポールを前記ポール支持孔の差し込んで前記ツリーを直立状態に保持可能とする深さとしたことを特徴とする。
【０００７】
請求項２に記載の考案は、前記外箱体の開口に、箱蓋を備えたことを特徴とする。
【０００８】
請求項３に記載の考案は、前記内箱体が、外箱体の内部空間を上下２分する第１の内箱体と第２の内箱体とから成り、該両内箱体の底面の中央部に、前記ポール及び前記支持筒体を差し込み可能な径のポール支持孔をそれぞれ設けたことを特徴とする。
【０００９】
請求項４に記載の考案は、前記内箱体の底面又は第１の内箱体と第２の内箱体の底面に、内側の引き出し紐と外側の引き出し紐をそれぞれ設けたことを特徴とする。
【００１０】
請求項５に記載の考案は、前記外箱体の底面と内箱体の底面又は第１の内箱体と第２の内箱体の底面に、電飾用電気コードが挿通可能な貫通孔を設けたことを特徴とする。
【００１１】
請求項６に記載の考案は、前記外箱体の底面に、移動用のキャスターを設けたことを特徴とする。
【考案の効果】
【００１２】
本考案は、直立状態に保持可能とする深さの内箱体を外箱体内に開口を下向きに被せることで、ポール支持孔にポールの下部寄りの部位を貫通させ、更に前記外箱体内の直立筒体に下端部を挿し込むことで、上下２点で前記ポールを直立状態に支持させてツリーを安定的に立てることが可能となる。
又、前記外箱体内に開口を上向きに外箱体の直立筒体にポール支持孔を挿し込むことで前記外箱体内に前記内箱体を重ね合わせて入れることが可能となり、該内箱体内に形成される広い収納空間にイルミネーションとその電気コードやモールなど各種の多くの装飾物が同時に収納可能となる。
なお、前記外箱体の側面にはレンガ模様などの植木鉢状となる絵柄を施すことができ、その結果、上品でクリスマス等のツリー全体に安定感と高級感とを醸し出すことができる。
【００１３】
請求項２に記載の考案においては、箱蓋を外箱体の開口に被せることで収納空間内にホコリ等を入りこませず、該箱蓋に守られて内部の装飾物が確実に保護される。その結果、翌年のクリスマスシーズンまでの長期間綺麗なままで装飾物等が保管でき、その後も何度も綺麗なままで繰り返して使用することができる。
【００１４】
請求項３に記載の考案においては、前記外箱体に第１の内箱体と第２の内箱体が収納され、該外箱体の収納空間が上下２分割される。
その際、両内箱体の底面の中央部に前記ポール及び前記支持筒体を差し込み可能な径のポール支持孔をそれぞれ設けたので、第１の内箱体と第２の内箱体とを開口を同じ向きで重ね合わせると、各ポール支持孔に前記支持筒体が差し込まれて１つの大きい収納空間が形成され、嵩張るものが収納できる。
又、上側の第２の内箱体だけ開口を上向きにすれば上下２つに分割された収納空間ができ、例えば下の収納空間には電気コード類を収納し、上の収納空間にはイルミネーションランプやその他の装飾物等を分離して収納すれば、電気コード類と各種装飾物とが絡み合わないように分別して収納することが可能となる。
【００１５】
請求項４に記載の考案においては、前記内箱体の底面又は第１の内箱体と第２の内箱体の底面に設けた内側の引き出し紐と外側の引き出し紐によって、前記内箱体の開口を上向きにした場合でも、又下向きにした場合でも、引き出し紐を摘んで、外箱体の中に嵌ってしまって出し難くなった内箱体でも容易に取り出すことができる。
そして、ツリーを直立させるときと、装飾物を収納保管するときとの使用変更の際の外箱体への内箱体の入れ直しを容易に行えるようになる。
【００１６】
請求項５に記載の考案においては、電気コード用の貫通孔を前記外箱体の底面と内箱体の底面又は第１の内箱体と第２の内箱体の底面に設けることで、各箱の内外へ電気コードを通過させることが可能となる。
そして、電気コードのプラグ側を前記外箱体の底面から出して室内のコンセントに繋ぎ、収納空間を通過させて、電装飾側をポール支持孔の近くから引き出し、更にポールに沿って上部に延ばせば、電気コードが木に絡まった蔦のように見え不自然にならずに配線できて、装飾したイルミネーションランプを点灯させることが可能となる。
また、前記電気コードが長くて足元で邪魔になる場合には、外箱体中の収納空間に電気コードの余った一部を収納することで、外箱体の外部では電気コードを弛ませることなく使用することが可能となる。
【００１７】
請求項６に記載の考案においては、前記外箱体の底面にキャスターを設けることによって重量の大きなツリーの全体を容易に移動させることが可能となる。
又、このキャスターは前記外箱体の底面から着脱可能とすれば、シーズンが終わり解体保管する際には、外して前記収納空間に収納することで、前記外箱体の下部にキャスターの突出部分がなくなり、その分箱自体が場所をとらずに押入れ等で保管することが可能となる。
【図面の簡単な説明】
【００１８】
【図１】本考案の使用状態を示す斜視図である。
【図２】別の形態に使用状態を示す斜視図である
【図３】（イ）がポールを立てた状態を示し、（ロ）がポールを取り外した状態を示す縦断斜視図である。
【図４】（イ）が内箱体の開口を上にした状態を示し、（ロ）が外箱体から内箱体を除いた状態を示し、(ハ）が外箱体内に内箱体を重ね合わせた状態を示す各縦断斜視図である。
【図５】内箱体が２段である形態を示す縦斜視面図である。
【図６】外箱体に箱蓋を被せた状態を示す縦断側面図である。
【考案を実施するための形態】
【００１９】
本考案のツリー用収納箱の実施形態を以下図に基づいて説明する。
本考案は、図１及び図２に示すように、樹木模型１の幹を模したポール２の下端部２ａを支えて該樹木模型１を直立させる植木鉢状のツリーを直立させることとツリーに用いる装飾物を収納することとを兼用したツリー用収納箱である。
該ツリー用収納箱をクリスマスツリーを例に以下説明する。
該ツリー用収納箱は、図３に示すように、外箱体５と内箱体６とから成る。
【００２０】
該外箱体５及び内箱体６は、木製、金属製、紙製又はプラスチック製とすることが可能である。
そして、該外箱体５には、底面５ａ上の中央部に、前記ポール２の下端部２ａを嵌合して該ポール２を直立状態に支持させる支持筒体７を設ける。
該支持筒体７は後述の箱蓋１９を被着可能とするために最大で該外箱体５の深さを越えない長さとし、該支持筒体７を短くする場合には、容易に前記ポール２が脱落して倒れてしまうことのないように、前記ポール２の下端部２ａと該支持筒体７とに対応したネジ部を設け、前記ポール２の下端部２ａを該支持筒体７に螺着することで容易に外れず且つ着脱可能とすることもできる。
【００２１】
又、該外箱体５の中には、内箱体６をその開口６ｂを上向き又は下向きに嵌合させた状態で収納可能とする。
そして、該内箱体６の底面６ａの中央部には、前記ポール及び前記支持筒体を差し込み可能とするため該支持筒体７と殆ど同じか又はそれより大径としたポール支持孔８を設ける。
なお、該外箱体５の側面は、図１及び２では表面に植木鉢状にレンガ模様を施したものを示しているが、無地に着色しても良く。又他にも各種絵柄を施せば、より見映えが良くなる。
【００２２】
本考案の使用方法は、図３の（ロ）に示すように、クリスマスツリーを直立させる際には、前記内箱体６を前記外箱体５内に開口７ｂを下向きに被せることで、外箱体５の上部位置でポール支持孔８に前記ポール２の下部寄りの部位を貫通させ、更に、図３（イ）に示すように、前記外箱体５内の直立筒体７に下端部２ａを挿し込むことで外箱体５の下部位置で前記ポール２を立てて支持させる。
即ち、外箱体５内の上部と下部の２点支持によりクリスマスツリーを安定的に直立状態を維持させる。
背の高いクリスマスツリーを安定的に立てるには、前記外箱体５の大きさは、過度に小さいと倒れ易くなって用をなさない。
従って、前記外箱体及び内箱体を、前記外箱体に前記内箱体をその開口を上向きに嵌合させた場合には前記ツリー用装飾物が収納可能で、且つ前記外箱体に前記内箱体をその開口を下向きに嵌合させた場合には、前記ポールを前記ポール支持孔の差し込んで前記ツリーを直立状態に保持可能とする深さとする
そのため、前記外箱体５の大きさは、例えば、前記外箱体５の高さをクリスマスツリーの樹木模型１の高さの７分の１から５分の１程度とする。横幅はそれより少し大きくすれば、バランスが良く樹木模型１を安定的に直立状態を支持させることができる。
【００２３】
又、クリスマスツリーを解体してツリー用の装飾物を箱に収納する際には、図４の（イ）及び（ロ）に示すように、前記内箱体６を前記外箱体５から抜き出して、図４の（ハ）に示すように、前記外箱体５内に前記開口６ｂを上向きに前記外箱体５の直立筒体７にポール支持孔８を挿し込むことで前記外箱体５内に前記内箱体６を重ね合わせに嵌合させる。
この嵌合で前記直立筒体７が前記外箱体５の内部に突出していても、前記外箱体５の内面に前記内箱体６の外面が密接され、前記外箱体５の内部にデッドスペースを発生させずに前記内箱体５内の全体に広い収納空間Ｓが形成される。
そして、該収納空間Ｓにはイルミネーションのランプ、電気コード、モール紐、ボール、スター等の多種の装飾物４を多数収納することが可能となる。
【００２４】
又、図６に示すように、前記外箱体５の開口５ｂには、被着可能な箱蓋１９を備える。
この、箱蓋１９はクリスマスツリーを直立させている際には、前記外箱体５の開口５ｂから外されて、前記外箱体５の底に逆さにして嵌め置きすれば嵩張らずに使用でき、使用することで紛失も起こらない。前記外箱体５の底に後述のキャスターを設けた場合には、該キャスターの下に箱蓋１９を逆さにして敷けば、室内のクリスマスツリーの位置が変わらないように位置移動を拘束させることができる。
そして、クリスマスシーズンが終わり、クリスマスツリーを解体した際には、装飾物を前記外箱体５に納めた内箱体６内に収納した後、該外箱体５の開口５ｂに被せと、前記収納空間Ｓにはホコリ等が入り込まなくなるので、収納空間Ｓ内に納められた装飾物４が綺麗なままで長期間保管して置くことが可能となる。
【００２５】
又、前記内箱体については、外箱体５の内部空間を上下２分する第１の内箱体２０と第２の内箱体２６とから成る形態が可能であり、その形態を次に説明する。
この形態では、図５の（イ）に示すように、該外箱体５の内部空間を下の収納空間Ｓ１と上の収納空間Ｓ２に２分割する第１の内箱体２０と第２の内箱体２６を外箱体５内に収納する。
そして、両内箱体の底面２０ａ、２６ａの中央部には、ポール２を貫挿するために該ポール２の径と殆ど同じか、それより僅か大径とし、且つ前記外箱体５の支持筒体７と殆ど同じか、それより僅か大径としたポール支持孔２１、２７をそれぞれ設ける。
この態様では、クリスマスツリーを直立させている際には、図５の（イ）に示すように、上部と中間部のポール支持孔２１、２７の２箇所でポール２を強く支持することができる。
【００２６】
又、この形態では、前記第１の内箱体２０と第２の内箱体２６を重ね合わせた場合には、図５の（ロ）に示すように、各ポール支持孔に前記支持筒体が差し込まれて１つの大きい収納空間Ｓとなり嵩張る装飾物４が収納可能となる。
又、図５の（イ）に示したポール２を抜いて、第１の内箱体２０と第２の内箱体２６を開口２６ｂを下向きにして前記外箱体５に納めた場合、第２の内箱体２６が前記第１の内箱体２０の上に載って上下２つに分割された下の収納空間Ｓ１と上の収納空間Ｓ２とが形成され、両収納空間Ｓ１、Ｓに分けて装飾物を収納することができる。
【００２７】
なお、図示はしないが、上の第２の内箱体２６だけ前記開口２６ｂを上向きにした場合にも、装飾物の収納に使用することができ、第２の内箱体２６が前記第１の内箱体２０の上に載って上下２つに分割された下の収納空間Ｓ１と上の収納空間Ｓ２とが形成される。
又、前記ポール２を抜いて開口を下に向けた第２の内箱体２６を、開口を下に向けた第２の内箱体２０の下に入れた状態で使用すれば、第１の内箱体２６の底面２６aと第２の内箱体２０の底面２０aとが重なってその底面２０a上に第２の収納空間が形成できるので、この場合にも、上下２つに分割した収納空間を形成することが可能となる。
【００２８】
ツリーの装飾物の収納に使用する場合、上記の如く下の収納空間Ｓ１と上の収納空間Ｓ２を形成すると、例えば、下部の収納空間Ｓ１には電気コード類を収納し、上部の収納空間Ｓ２にはイルミネーションランプやその他の装飾物を分離し、電気コード類と装飾物とが絡み合わないように収納することが可能となる。
【００２９】
又、図３及び図５に示すように、前記外箱体５の底面５ａと内箱体６の底面６ａ又は第１の内箱体２０と第２の内箱体２６の底面２０ａ、２６ａに電飾用電気コード１４が挿通可能な貫通孔１２、１１、２２、２８を設ける。
【００３０】
なお、図１に示す形態のように、前記外箱体５の底面５ａにキャスターを設けて前記外箱体５の底面５aを床から浮かせて置ける場合には、前記外箱体５の底面５aの中央付近に設けた貫通孔から電飾用電気コード１４を引き出せるが、前記外箱体５を床に直置きした場合には、引き出した電気コード１４が前記外箱体５の底面５aと床とに挟まれてしまい、電飾用電気コード１４を自由に引き出すことができない。
このため、前記外箱体５の貫通孔１２は、図３の（イ）及び（ロ）に示すように、底面５ａから立ち上がり側面にかけてその両面から電気コード１４を引き出せるように設けることもできる。この場合、前記内箱体２６の開口６ｂの側面にも、その開口６ｂを前記外箱体５の貫通孔１２と繋がるように対応させた貫通孔１３を形成する。
この態様では、前記外箱体５を床に直置きしたとき、電飾用電気コード１４を底面に近い側面から床面に邪魔されず自由に引き出すことが可能となる。
【００３１】
そして、前記電気コード１４は前記貫通孔１２から前記外箱体５及び内箱体６を貫挿させることができるので、長す過ぎて余った電気コード１４部分は、クリスマスツリーを直立させた状態で、前記外箱体中の収納空間Sに収納した状態で使用することが可能となる。
即ち、前記各貫通孔１２、１１、２１、２２、２８に電気コード１４を通過させて、外部の電源からランプを点灯させる際に、長い電気コード１４の一部を収納空間Sに収納した状態で、外部に電気コード１４を弛ませるこなく使用することが可能となり、誤って電気コード１４に足を引っ掛けてしまうのが防止可能となる。
【００３２】
又、前記内箱体６の底面６a又は第１の内箱体２０と第２の内箱体２６の底面２０a、２６aに、内側の引き出し紐１７、２３、２９と外側の引き出し紐１６、２４、３０をそれぞれ設けることができる。
この引き出し紐１６、１７，２３、２４，２９、３０を設けることによって、前記内箱体６の開口６ｂ、２６ｂを上向きにした場合でも、又下向きにした場合でも、引き出し紐１６、１７，２３、２４，２９、３０を指で摘んで、外箱体５の中に嵌ってしまって出し難くなった内箱体６、２０、２６が容易に取り出すことが可能となる。
そして、クリスマスツリーを直立させようとする際や、装飾物を収納保管しようとする際の使用変更の際に、外箱体５への内箱体６、２０、２６の入れ直しを容易に行うことが可能となる。
なお、前記各引き出し紐１６、１７，２３、２４，２９、３０は、図３、図４及び図５では両端に結び目を設けて内箱体６、２０、２６の底面６a、２０a、２６aにループ状に留られた態様を示したが、一方だけ留めて他方は留めずに自由にした態様等も引き出し紐を摘んで前記内箱体６、２０、２６を引き出すことが可能であり、引き出し紐１６、１７，２３、２４，２９、３０はループ状のものに限定するものではない。
【００３３】
又、前記外箱体５の底面５ａに移動用のキャスター９を設ければ掃除の際にツリーの移動が容易となる。
更に、該キャスター９に加えて、図１に示すように、前記外箱体５の側面に紐状の持手２５を設けると該持手２５を引っ張って容易にツリーを移動させることができるようになる。
又該キャスター９は前記外箱体５の底面５ａから着脱可能に設けることもできる。その場合、前記収納空間Ｓ内に装飾物と一緒に入れて置くことができる。又前記キャスター９が着脱可能な態様では、前記キャスター９は、前記外箱体５の底面５ａから下に突出しないのでその分コンパクトになり箱自体が嵩張らずに押入れ等に容易に保管することが可能となる
【００３４】
なお、開口を下向きにしてクリスマスツリーを直立させた内箱体６の底面６aの上には、白い綿１８等を載せることで、見映え良く足元を隠して白く雪が積もった雰囲気を醸し出すことも可能である。
【産業上の利用可能性】
【００３５】
本考案のツリー用収納箱は、主としてクリスマスツリーに用いるものであるが、店舗のディスプレイなどに装飾用の樹木模型を立てる際などにも広く利用することが可能である。
【符号の説明】
【００３６】
１  樹木模型
２  ポール
２ａ  ポールの下端部
３  模造枝葉
４  装飾物
４ａ  電飾ランプ
５  外箱体
５ａ  外箱体の底面
５ｂ  外箱体の開口
６  内箱体
６ａ  内箱体の底面
６ｂ  内箱体の開口
７  支持筒体
７ａ  支持筒体の内面
８  ポール支持孔
９  キャスター
１０  キャスター固定部
１１  コード挿通用孔
１２  コード挿通用孔
１３  コード挿通用孔
１４  電気コード
１５  プラグ
１６  引き出し糸
１７  引き出し糸
１８  白い綿
１９  箱蓋
２０  第１の内箱体
２０ａ  第１の内箱体の底面
２０ｂ  第１の内箱体の開口
２１  ポール支持孔
２２  コード挿通用孔
２３  引き出し糸
２４  引き出し糸
２５  持手
２６  第２の内箱体
２６ａ  第２の内箱体の底面
２６ｂ  第２の内箱体の開口
２７  ポール支持孔
２８  コード挿通用孔
２９  引き出し糸
３０  引き出し糸
Ｓ    収納空間
Ｓ１  下の収納空間
Ｓ２  上の収納空間
【図１】
0003184811.tif 000003
【図２】
0003184811.tif 000004
【図３】
0003184811.tif 000005
【図４】
0003184811.tif 000006
【図５】
0003184811.tif 000007
【図６】
0003184811.tif 000008